(57)【要約】  【課題】使用者への負担が軽く、様々な場面に容易に対応可能な会話補助端末を提供する。  【解決手段】発話困難者の代わりに会話で使用されるメッセージを音声出力する会話補助端末１０は、所定の施設における会話で使用されるメッセージを音声出力される順序に従って階層化したスクリプトを登録しておくスクリプト記憶部１３２と、施設毎に、当該施設の位置情報と、当該施設で使用されるスクリプトの識別子と、を含む施設情報を登録しておく施設情報記憶部１３８と、会話補助端末１０の現在位置情報を取得する位置情報取得部１４と、現在位置情報に基づき、施設情報記憶部１３８を参照して当該会話補助端末１０が位置する施設を特定する施設判定部３１と、施設判定部３１が特定した施設に設定されているスクリプトに基づき、順次メッセージを会話補助端末１０から音声出力させるスクリプト実行部１３２と、を備える。【選択図】図４
2014077822.tif 000002
【特許請求の範囲】
【請求項１】
発話困難者の代わりに会話で使用されるメッセージを音声出力する会話補助端末において、
所定の施設における会話で使用されるメッセージを音声出力される順序に従って階層化したスクリプトを登録しておくスクリプト記憶部と、
前記施設毎に、当該施設の位置情報と、当該施設で使用される前記スクリプトの識別子と、を含む施設情報を登録しておく施設情報記憶部と、
前記会話補助端末の現在位置情報を取得する位置情報取得部と、
前記位置情報取得部が取得した現在位置情報に基づき、前記施設情報記憶部を参照して当該会話補助端末が位置する施設を特定する施設判定部と、
前記施設判定部が特定した施設に設定されている前記スクリプトに基づき、順次メッセージを前記会話補助端末から音声出力させるスクリプト実行部と、
を備えることを特徴とする会話補助端末。
【請求項２】
前記施設情報記憶部は、当該施設で使用される前記スクリプトの識別子を時刻に関連付けて記憶しており、
前記スクリプト実行部は、現在の時刻に対応して設定されている前記スクリプトを実行することを特徴とする請求項１記載の会話補助端末。
【請求項３】
入力装置と、
表示装置と、
前記スクリプトの実行に際して、前記メッセージに関する情報を前記表示装置に表示する際のインタフェースであって、各メッセージに対応して前記表示装置に表示される表示画像を含むインタフェースを登録しておくインタフェース記憶部と、をさらに備え、
前記スクリプト実行部は、前記入力装置を介して前記表示装置に表示された表示画像が発話困難者により選択されると、当該表示画像に対応するメッセージを音声出力すると共に、次の階層に進むように制御すること特徴とする請求項１又は２記載の会話補助端末。
【請求項４】
前記スクリプトは、複数のメッセージが登録された階層を有しており、
前記スクリプト実行部は、複数のメッセージが登録された階層のメッセージを音声出力する際に、各メッセージに対応する表示画像を前記表示装置にそれぞれ同時に表示すると共に、前記入力装置を介して発話困難者により選択された表示画像に対応するメッセージを、当該階層のメッセージとして音声出力するように制御することを特徴とする請求項３記載の会話補助端末。
【請求項５】
前記スクリプトのメッセージは、発話困難者の特性に応じて同一階層の選択肢が3つ以下となるように、発話困難者の支援者によって予め設定登録されていることを特徴とする請求項４記載の会話補助端末。
【請求項６】
携帯端末に、発話困難者の代わりに会話で使用されるメッセージを音声出力させるための会話補助プログラムにおいて、
所定の施設における会話で使用されるメッセージを音声出力される順序に従って階層化したスクリプトを前記携帯端末に登録しておくスクリプト記憶ステップと、
前記施設毎に、当該施設の位置情報と、当該施設で使用される前記スクリプトの識別子と、を含む施設情報を前記携帯端末に登録しておく施設情報記憶ステップと、
前記携帯端末の現在位置情報を取得する位置情報取得ステップと、
前記位置情報取得ステップにおいて取得した現在位置情報に基づき、前記施設情報を参照して当該携帯端末が位置する施設を特定する施設判定ステップと、
前記施設判定ステップにおいて特定した施設に設定されている前記スクリプトに基づき、順次メッセージを当該携帯端末から音声出力させるスクリプト実行ステップと、
を前記携帯端末に実行させることを特徴とする会話補助プログラム。
【発明の詳細な説明】
【技術分野】
【０００１】
本発明は、発話することの困難な発話困難者の円滑な会話を支援するための会話補助端末に関する。
【背景技術】
【０００２】
聴覚・言語障害者、肢体不自由者、知的障害者等の障害者の多くは、自発的な発話が不可能であったり、構音不明瞭により発話が困難であったりする場合が多い。会話によるコミュニケーションは、人間の社会生活の基盤となる生活機能であり、発話困難によりコミュニケーションができなくなると、生活の質（QOL）が大きく低下してしまう。
【０００３】
このため、このような発話困難者の会話を補助するための音声出力型会話補助端末（VOCA：Voice Output Communication Aid）が従来から提供されており、例えば、下記特許文献１，２に開示されている。
【０００４】
従来の会話補助端末は、装置内に会話の文章や会話の構成要素を録音した音声データをデータベース化して収納しておき、使用者の選択に基づき、選択された例文や構成要素を組み合わせた文章の音声データを会話補助端末のスピーカーから音声として出力するように構成されている。
【先行技術文献】
【特許文献】
【０００５】
【特許文献１】特開平８−１３７３８５号公報
【特許文献２】特開２０１１−０１３８７１号公報
【発明の概要】
【発明が解決しようとする課題】
【０００６】
しかし、会話の文章は場所や状況等によって多様な内容が考えられ、全ての会話文章を予め格納しておくのは困難である。また、会話の文章が多くなればなるほど、発話困難者による会話の選択が困難となり、階層化したとしても容易に選択できる文章の数には限りがあった。
【０００７】
本発明は、上記課題を解決するためになされたものであり、使用者への負担が軽く、様々な場面に容易に対応可能な会話補助端末を提供することを目的とする。
【課題を解決するための手段】
【０００８】
上記課題を解決するために、本発明に係る会話補助端末は、発話困難者の代わりに会話で使用されるメッセージを音声出力する会話補助端末において、所定の施設における会話で使用されるメッセージを音声出力される順序に従って階層化したスクリプトを登録しておくスクリプト記憶部と、前記施設毎に、当該施設の位置情報と、当該施設で使用される前記スクリプトの識別子と、を含む施設情報を登録しておく施設情報記憶部と、前記会話補助端末の現在位置情報を取得する位置情報取得部と、前記位置情報取得部が取得した現在位置情報に基づき、前記施設情報記憶部を参照して当該会話補助端末が位置する施設を特定する施設判定部と、前記施設判定部が特定した施設に設定されている前記スクリプトに基づき、順次メッセージを前記会話補助端末から音声出力させるスクリプト実行部と、を備えることを特徴とする。
【０００９】
また、本発明に係る会話補助プログラムは、携帯端末に、発話困難者の代わりに会話で使用されるメッセージを音声出力させるための会話補助プログラムにおいて、所定の施設における会話で使用されるメッセージを音声出力される順序に従って階層化したスクリプトを前記携帯端末に登録しておくスクリプト記憶ステップと、前記施設毎に、当該施設の位置情報と、当該施設で使用される前記スクリプトの識別子と、を含む施設情報を前記携帯端末に登録しておく施設情報記憶ステップと、前記携帯端末の現在位置情報を取得する位置情報取得ステップと、前記位置情報取得ステップにおいて取得した現在位置情報に基づき、前記施設情報を参照して当該携帯端末が位置する施設を特定する施設判定ステップと、前記施設判定ステップにおいて特定した施設に設定されている前記スクリプトに基づき、順次メッセージを当該携帯端末から音声出力させるスクリプト実行ステップと、を前記携帯端末に実行させることを特徴とする。
【発明の効果】
【００１０】
本発明によれば、使用者への負担が軽く、様々な場面に容易に対応可能な会話補助端末を提供することができる。
【図面の簡単な説明】
【００１１】
【図１】図１は、本発明の実施形態に係る会話補助端末の構成を概略的に示す模式図である。
【図２】図２は、本発明の実施形態に係るスクリプトＤＢに登録されるスクリプトの内容を示す図である。
【図３】図３は、本発明の実施形態に係る施設情報ＤＢに登録される施設情報の内容を示す図である。
【図４】図４は、本発明の実施形態に係る会話補助端末の機能を概略的に示すブロック図である。
【図５】図５は、本発明の実施形態に係る会話補助端末により会話を補助する際の処理の流れを示すフローチャートである。
【発明を実施するための形態】
【００１２】
以下、図面を参照しながら、本発明の実施形態に係る会話補助端末について説明する。本実施形態に係る会話補助端末は、スマートフォン等の携帯端末に会話補助プログラムをインストールすることで実現される。図１は、本実施形態に係る会話補助端末の構成を概略的に示す模式図である。
【００１３】
図１に示すように、会話補助端末１０は、各種演算を行うＣＰＵ（Central
Processing Unit）等の演算装置１１、各種情報を記憶しておくフラッシュメモリや演算処理のワークエリアとして使用されるＲＡＭ（Random Access Memory）等からなる記憶装置１３、ＧＰＳ（Global Positioning
System:全地球的測位システム)受信器１４、音声を電気信号に変換して入力するためのマイクロフォン１５、音を出力するためのスピーカー１６、入力装置及び表示装置として機能するタッチパネル１８、携帯電話用通信網を介して外部と通信するための通信部１９、を備えている。
【００１４】
記憶装置１３は、後述する会話補助端末１０の各種機能を実現するためのプログラムを格納しておくプログラム格納部１３１、所定の場面における発話すべきメッセージを階層化したスクリプトを記録しておくスクリプトＤＢ１３２、スクリプトを会話補助端末１０上に表示する際の形式であるインタフェースを記録しておくインタフェースＤＢ１３３、各種施設の位置情報、上記スクリプトとの関連付け等の施設情報を記録しておく施設情報ＤＢ１３８を備えている。
【００１５】
ＧＰＳ受信器１４は、航法衛星から発信されている電波信号を受信し、ＧＰＳ受信器１４の位置情報を出力する機能を備えている。具体的には、航法衛星からは、一秒毎に、正確な時刻情報及びその衛星の軌道情報が発信されている。ＧＰＳ受信器１４は、複数の衛星からこれらの情報を受信し、各衛星との距離を算出することで、ＧＰＳ受信器１４自身の位置、すなわち、会話補助端末１０の位置情報（緯度、経度）を算出して出力する。
【００１６】
図２は、本実施形態に係るスクリプトＤＢに登録されるスクリプトの内容を示す図である。同図に示すように、スクリプトＤＢ１３２に記録されているスクリプトは、各スクリプトの識別子である「スクリプトＩＤ」、階層別に登録されたメッセージである「階層１」、「階層２」、「階層３」、「階層４」、「階層５」、「階層６」の項目のデータを有している。各階層には、それぞれ1つ以上のメッセージが登録されている。
【００１７】
「階層１〜６」の各メッセージは、所定の場面での発話困難者と相手方との会話の流れに応じて、階層順に会話補助端末１０上に後述するアイコンボタンとして表示されると共に、発話困難者によるアイコンボタンの選択に従って、該当するメッセージが発話困難者の代わりにスピーカー１６から音声出力される。
【００１８】
スピーカー１６からのメッセージの音声出力は、メッセージのテキストデータを合成音声で読み上げるように構成しても良いし、マイクロフォン１５を介して予め各メッセージの音声データを録音しておいて、その音声データを再生するように構成しても良い。
【００１９】
本実施形態では、図２に示すように、「スクリプトＩＤ」が「0001」のスクリプトとして、「階層１」に「メッセージＡＡ」、「階層２」に「メッセージＡＢ」と「メッセージＡＣ」、「階層３」に「メッセージＡＤ」と「メッセージＡＥ」、「階層４」に「メッセージＡＦ」、「階層５」に「メッセージＡＧ」、「階層６」に「メッセージＡＨ」が設定されたスクリプトが登録されている。
【００２０】
また、「スクリプトＩＤ」が「0002」のスクリプトとして、「階層１」に「メッセージＢＡ」と「メッセージＢＢ」、「階層２」に「メッセージＢＣ」と「メッセージＢＤ」と「メッセージＢＥ」、「階層３」に「メッセージＢＦ」、「階層４」に「メッセージＢＧ」と「メッセージＢＨ」、「階層５」に「メッセージＢＩ」が設定されたスクリプトが登録されている。
【００２１】
同じ階層に複数のメッセージが設定されているスクリプトでは、当該階層の各メッセージに対応するアイコンボタンが会話補助端末１０のタッチパネル１８に選択可能に表示され、発話困難者がタップすることで選択されたメッセージが、スピーカー１６から音声出力される。
【００２２】
もちろん、スクリプトの階層数は適宜変更可能であり、また、所定の階層に複数のメッセージが設定されている場合、発話困難者によって選択されたメッセージによって、次の階層のメッセージが異なるといったサブ階層を設定するようにしても良い。これらスクリプトは、発話困難者の支援者（保護者や教師等）が、発話困難者の特性に合わせて予め設定登録される。
【００２３】
なお、同一階層に設定するメッセージの数が多くなると、発話困難者による選択が困難になるため、なるべく選択肢の数を増やさないことが望ましく、できれば3つ以下となるように設定するのが望ましい。このため、飲食店での注文場面等、選択肢の数が多い会話場面では、発話困難者の特性に嗜好に合わせて、支援者が予め選択肢が3つ以下となるように選択肢を絞ったうえでメッセージを設定登録しておくのが望ましい。
【００２４】
インタフェースＤＢ１３３に記録されているインタフェースは、スクリプトのメッセージを順次タッチパネル１８に表示する際の形式に関する設定情報である。具体的には、スクリプトを表示する際の壁紙、各メッセージを表示する際の表示画像であるアイコンボタン、アイコンボタンの表示位置等のデータがインタフェースの情報として登録されている。インタフェースＤＢ１３３には、支援者によって予め設定された複数のインタフェースが設定登録されている。
【００２５】
図３は、本実施形態に係る施設情報ＤＢ１３８に登録されている施設情報の内容を示す図である。同図に示すように、施設情報は、施設の識別子である「施設ＩＤ」、施設の名称である「施設名」、施設の所在地を示す情報である「位置情報」、当該施設内で使用されるスクリプトの識別子である「スクリプト」、スクリプトが使用される時間帯を示す「時間帯情報」、スクリプトを表示する際に使用するインタフェースの識別子である「インタフェース」の項目のデータを有している。
【００２６】
「位置情報」としては、施設が位置する場所の緯度経度情報が設定されている。この経度緯度情報は、ある程度の幅をもって設定されている。「スクリプト」には、スクリプトＤＢ１３２に記録されているスクリプトのうち、当該施設で使用されるスクリプトのスクリプトＩＤが記録されている。本実施形態では、学校等、朝、昼、夜によって会話の内容が異なってくる施設では、「時間帯情報」の項目を参照することで、時間帯別に異なるスクリプトを使用するように設定することができる。
【００２７】
例えば、図３の施設ＩＤ「10001」の施設「XXXXX」では、朝の時間帯は「1001」のスクリプト（インタフェースは「2001」）、昼の時間帯は「1002」のスクリプト（インタフェースは「2002」）、夕方及び夜の時間帯は「1003」のスクリプト（インタフェースは「2003」）を使用するように設定されている。
【００２８】
ここで、施設情報の設定は、発話困難者の支援者が予め設定して登録しておく。例えば、通信部１９を介して会話補助端末１０によりインターネット上の地図サイト（例えば、web上で地理情報システム（GIS：Geographic
Information System）を提供しているGoogle（登録商標）マップ等）にアクセスし、所望の施設を地図上に表示しながら施設情報の設定を行うことができる。
【００２９】
具体的には、まず、携帯端末を会話補助端末１０として機能させるための会話補助プログラムを起動させてから、会話補助端末１０のブラウザアプリケーションを起動して地図サイトにアクセスし、タッチパネル１８上に所望の施設の場所を表示させる。その施設の場所の位置情報を地図サイトから取得し、会話補助プログラムの施設情報設定機能に従って、順次、施設名、位置情報、スクリプト、時間帯情報、インタフェースの情報を設定する。設定された施設情報は、新規の施設ＩＤが付され、施設情報ＤＢ１３８に順次登録される。
【００３０】
このとき、既にスクリプトＤＢ１３２に記録されているスクリプトやインタフェースＤＢ１３３に記録されているインタフェースの中に、会話補助端末１０を使用する発話困難者の当該施設での会話を補助するために適切なものがない場合には、スクリプトやインタフェースも施設情報と一緒に設定する。
【００３１】
スクリプトは、同じ施設であっても発話困難者によって必要となるメッセージや階層構造が異なる場合が多く、施設情報の設定に合わせてスクリプトの設定も必要となるケースが多い。また、インタフェースについても、メッセージが異なれば、アイコンボタンのデザインが異なる場合が多いので、スクリプトの設定に合わせてインタフェースの設定も必要となるケースが多い。
【００３２】
なお、施設情報の設定登録の際の施設の位置情報取得については、地図サイトから取得に限らず、例えば、実際にその施設に行ってＧＰＳ受信器１４により位置情報を取得するようにしても良い。
【００３３】
続いて、図４及び図５を参照しながら、所定の施設において発話困難者の会話が円滑となるように会話補助端末１０が支援する処理について説明する。図４は、本実施形態に係る会話補助端末の機能を概略的に示すブロック図である。同図に示すように、会話補助端末１０は、施設判定部３１、スクリプト実行部３２を備えている。これらの各部の機能は、演算装置１１がプログラム格納部１３１内の会話補助プログラムを実行することで実現される。
【００３４】
図５は、会話補助端末が発話困難者の会話を補助する際の処理の流れを示すフローチャートである。まず、Ｓ１１において、発話困難者がスマートフォン上で会話補助プログラムを起動すると、スマートフォンが会話補助端末１０として機能するようになる。
【００３５】
会話補助端末１０では、まずＳ１２において、施設判定部３１がＧＰＳ受信器１４から会話補助端末１０の現在の位置情報を取得する。Ｓ１３では、施設判定部３１は、取得した位置情報に基づいて、当該会話補助端末を携帯する発話困難者が現在位置している施設を判定する。
【００３６】
Ｓ１３での施設判定は、施設判定部３１が、施設情報ＤＢ１３８を参照し、Ｓ１２で取得した現在位置情報を含む位置情報が設定されている施設を抽出することで行われる。ここで、例えば、同じビル内に位置する施設のように、異なる施設が同じ位置情報で施設情報ＤＢ１３８に登録されている場合がある。よって、Ｓ１３において、Ｓ１２で取得した位置情報に該当する施設が複数ある場合には、該当する複数の施設名をタッチパネル１８に表示し、発話困難者に選択してもらうように制御すれば良い。
【００３７】
続いて、Ｓ１４では、スクリプト実行部３２が、施設情報ＤＢ１３８及び会話補助端末１０の計時機能から取得した現在の時刻を参照し、当該施設での会話補助に使用するスクリプト及びインタフェースを決定する。すなわち、当該施設に関連付けて施設情報ＤＢ１３８に設定されているスクリプトのうち、現在の時刻を含む時間帯に関連付けて設定されているスクリプト及びそのインタフェースを抽出する。
【００３８】
Ｓ１５では、決定されたスクリプト及びインタフェースに従って、スクリプト実行部３２がまず階層１のメッセージのアイコンボタンをタッチパネル１８に表示する。このとき、階層１に複数のメッセージが設定されている場合には、複数のアイコンボタンが表示される。このように、メッセージの対応するアイコンボタンを表示することで、メッセージを文字のまま表示するよりも発話困難者が視覚的に素早く容易にメッセージ内容を把握することができる。
【００３９】
Ｓ１６において、発話困難者がタッチパネル１８に表示された所望のアイコンボタンをタッチして選択すると、スクリプト実行部３２の制御により、Ｓ１７に進み、選択されたアイコンボタンのメッセージがスピーカー１６から発声される。このように、所定のメッセージが発話困難者の代わりにスピーカー１６から音声出力されることで、発話困難者が円滑に会話できるように支援することができる。
【００４０】
引き続き、Ｓ１８では、スクリプト実行部３２が、Ｓ１７で発声されたメッセージが今回のスクリプトの最終階層のメッセージであるかどうかを判定し、まだ次の階層のメッセージがある場合には、Ｓ１５へと戻り、次の階層のメッセージについて、Ｓ１５〜Ｓ１７が繰り返される。一方、Ｓ１８において、Ｓ１７で発声されたメッセージが最終階層のメッセージであった場合には、処理が終了し、当該施設での会話補助が終了する。
【００４１】
このように、本実施形態によれば、会話補助端末１０の位置情報に基づいて、発話困難者が位置している施設での使用に最適な会話のスクリプトが自動的に選択されるので、発話困難者が容易に会話補助機能を利用することができる。
【００４２】
さらに、会話補助端末１０の現在の時刻情報に基づいて、現在の時刻に最適な会話のスクリプトが自動的に選択されるので、発話困難者は、より容易に会話補助機能を利用することができる。
【００４３】
また、本実施形態では、タッチパネル１８上に表示されたアイコンボタンが発話困難者によって選択されると、該当するメッセージを音声出力すると共に、次の階層に進むように構成されているので、発話困難者が自分のペースで操作することができる。
【００４４】
続いて、所定の発話困難者に対して所定の支援者が予め設定した、スクリプトＤＢ１３２に記録されているスクリプトのメッセージの具体例（スクリプト１、スクリプト２）について説明する。
【００４５】
（スクリプト１）
スクリプト１は、施設がハンバーガーのファストフード店である場合のスクリプトであり、発話困難者の嗜好に合わせて、実際のメニュー数よりも選択肢の数を大幅に絞ってメッセージが設定されている。
【００４６】
スクリプト１は、まず、階層１のメッセージとして、店員から店内での飲食か、持ち帰りかを訪ねられた際の返答メッセージである、「店内で食べます」、「持ち帰ります」の2つのメッセージが設定されている。階層２のメッセージとしては、ハンバーガーの注文場面のメッセージである、「バリューセット（登録商標）」、「ハンバーガー（100円）単品」のメッセージが設定されている。
【００４７】
階層３のメッセージとしては、階層２での選択によって異なっており、階層２で「バリューセット」が選択された場合のメッセージとして、セットのドリンクの注文場面のメッセージである、「コカコーラゼロ」、「爽健美茶（登録商標）」、「野菜生活（登録商標）100」が設定されており、階層２で「ハンバーガー（100円）単品」が選択された場合のメッセージとして、サイドメニューの注文場面のメッセージである、「ジューシーシャカシャカチキン（登録商標）・チェダーチーズ」、「ホットアップルパイ」が設定されている。
【００４８】
また、階層４のメッセージも階層２での選択によって異なっており、階層２で「バリューセット」が選択された場合、階層４のメッセージはなく、階層２で「ハンバーガー（100円）単品」が選択された場合のメッセージとしてのみ、単品ドリンクの注文場面のメッセージである、「コカコーラＳサイズ」、「ファンタグレープＳサイズ」が設定されている。
【００４９】
このように、階層２でのメッセージの選択に合わせて、下位階層のメッセージの選択肢を異ならせたり、階層数を異ならせたりしてスクリプトを設定しておくことで、より柔軟且つ効果的に発話困難者の会話を補助することができる。
【００５０】
階層５のメッセージとしては、店員からの「ご注文は以上でよろしいでしょうか？」との注文場面の最後の質問に対する返答メッセージである、「はい」、「いいえ」が設定されている。階層６のメッセージとしては、店員の「会計は○○円になります」という言葉に対する対応メッセージである、「Ｅｄｙ（登録商標）は使えますか？」が設定されている。
【００５１】
階層７のメッセージとしては、支払場面のメッセージである、「手が上手く使えないので財布からお金を取って下さい。」が設定されている。階層７のメッセージは、階層６でのメッセージに対して店員が「Ｅｄｙは使えません」と回答した場合のみ使用されるメッセージであり、Ｅｄｙが使える場合には、発話困難者がＥｄｙカードを店員に手渡せば良いので、階層７のメッセージはそのままスキップできるように構成されている。
【００５２】
例えば、階層７のメッセージと共に、「次へ」のアイコンボタンを表示しておいて、不要な場合に発話困難者に選択してもらえるようにしておけば、必要に応じて階層７のメッセージをスキップすることができる。階層８のメッセージとしては、「食べ物を机まで運んで下さい」、階層９のメッセージとしては、「ありがとうございました」が設定されている。
【００５３】
（スクリプト２）
スクリプト２は、施設が学校である場合のスクリプトであり、朝の時間帯にのみ使用される朝礼用のスクリプトである。スクリプト２は、まず、階層１〜５の朝の号令時のメッセージである、「起立」（階層１）、「気をつけ」（階層２）、「礼」（階層３）、「はじめましょう」（階層４）、「着席」（階層５）が設定されている。
【００５４】
このように、スクリプト２の階層１〜５のメッセージは、各階層のメッセージの選択肢が一つだけであり、階層１〜５の各メッセージに対応するアイコンボタンがタッチパネル１８の一つの画面内に順番に並んで表示されるように構成されている。このように、選択肢が単一で連続する階層のメッセージ（アイコンボタン）を一つの画面内にリスト表示するようにしても良い。この場合、各アイコンボタンは階層順にのみ選択可能となるようにタッチパネル１８上に表示される。
【００５５】
続いて、階層６のメッセージとしては、健康確認場面での開始メッセージである、「健康確認をします」が設定されている。階層７のメッセージとしては、クラスメイトの点呼場面でのメッセージである「○○さん、元気ですか？」が設定されている。階層７のメッセージのアイコンボタンとしては、クラスメイトの写真のボタンが登録され、当該写真ボタンが選択されると、階層７のメッセージは、○○部分にそのクラスメイトの名前が挿入されてスピーカー１６から発声される。
【００５６】
階層８のメッセージとしては、階層７のメッセージに対するクラスメイトの返答メッセージへの対応メッセージである、「今日も頑張りましょう」、「保健室に行きますか？」が設定されている。発話困難者は、階層７のメッセージに対して、クラスメイトが「元気です」と返答した場合には、「今日も頑張りましょう」を選択し、「いいえ、元気ではないです」と返答した場合には、「保健室に行きますか？」を選択するようにすれば良い。なお、階層７，８のメッセージについては、クラスメイト全員の点呼が終わるまで繰り返し行われるように構成すれば良い。
【００５７】
続いて、階層９〜１５のメッセージは、時間割確認場面のメッセージとして、「今日は」（階層９）、「国語」（階層１０〜１４）、「水泳」（階層１０〜１４）、「給食」（階層１０〜１４）、「掃除」（階層１０〜１４）、「作業」（階層１０〜１４）、「をします」（階層１５）が登録されている。
【００５８】
このように、スクリプト２では、階層１０〜１４のメッセージは予め発話順序が決まっておらず、これらのメッセージのアイコンボタンが同一の画面上に並んで表示される。そして、例えば、時間表を見ながら行われる発話困難者の選択した順番に従って、各メッセージがスピーカー１６から音声出力される。このように、本実施形態では、全てのメッセージが予め設定された順序に従って音声出力される構成だけでなく、一部のメッセージについては、現場での発話困難者の選択順に出力される構成であっても良い。
【００５９】
続いて、階層１６，１７としては、朝礼終了時のメッセージである、「先生からのお話があります」（階層１６）、「それでは、朝の会を終わります」（階層１７）が設定されている。階層１６のメッセージの発声後、先生の話が終わった後に、発話困難者が階層１７のメッセージのアイコンボタンを選択すると、当該メッセージがスピーカー１６から発声され、スクリプト２が終了する。
【００６０】
以上、本実施形態について詳細に説明したが、本発明の実施の形態は、上記実施形態に限定されるものではなく、本発明の主旨を逸脱しない範囲内で種々の変形が可能である。例えば、会話補助端末の位置情報を取得するための手段は、ＧＰＳに限らず、Ｗｉ-Ｆｉや携帯基地局を利用した位置取得手段を使用したり、これらを組み合わせて使用したりしても良い。
【００６１】
また、上記実施形態では、表示装置と入力装置とを兼用するタッチパネルを用いたが、入力装置としてメカニカルボタンを使用し、表示装置と入力装置を別々に設置するようにしても良い。
【００６２】
また、アイコンボタンとしては、種々の表示画像を用いることができ、メッセージがそのまま記載されたボタンでも良いし、メッセージを端的に表す画像としても良い。例えば、メッセージが飲食物の名称の場合には、ハンバーガーやジュースの実際の商品の画像でも良い。
【００６３】
また、メッセージのアイコンボタンをタッチパネルに表示する際に、ヘルプボタンを表示するようにしても良い。発話困難者がヘルプボタンを選択すると、支援者の携帯電話に電話がつながったり、支援者の携帯電話にヘルプメールが送信されたりするように設定しておけば、スクリプトによる会話が上手く行かなかった場合でも、さらに支援を行うことが可能となる。
【符号の説明】
【００６４】
１０      会話補助端末
１１      演算装置
１３      記憶装置
１３１    プログラム格納部
１３２    スクリプトＤＢ
１３３    インタフェースＤＢ
１３８    施設情報ＤＢ
１４      ＧＰＳ受信器
１５      マイクロフォン
１６      スピーカー
１８      タッチパネル
１９      通信部
３１      施設判定部
３２      スクリプト実行部
【図１】
2014077822.tif 000003
【図２】
2014077822.tif 000004
【図３】
2014077822.tif 000005
【図４】
2014077822.tif 000006
【図５】
2014077822.tif 000007